(57)【特許請求の範囲】
【請求項１】
動画像データを記録媒体に記録する記録部と、
前記記録媒体に記録された動画像データに関連して、シーン毎に時間位置を示すチャプタが付与されたシーン情報を要求するための要求信号を外部機器に送信する送信部と、
前記外部機器から、前記要求信号に対する応答信号を受信する受信部と、
前記受信部が、前記要求信号に対するシーン情報を前記外部機器から受信できなかった場合に、メッセージを示す画像データを出力する出力部と、を備え、
前記メッセージを、前記記録部によって前記動画像データが前記記録媒体に記録された時からの経過時間に応じて異ならせる、
記録装置。
【請求項２】
動画像データに関するシーン情報を外部機器に要求したときの応答結果に対するメッセージ表示方法であって、
前記シーン情報は、動画像データのシーン毎に時間位置を示すチャプタが付与された情報であり、
前記メッセージ表示方法は、
記録媒体に記録された特定の動画像データに関するシーン情報を要求するための要求信号を、外部機器に送信し、
前記要求信号に対するシーン情報を前記外部機器から受信できなかった場合に、メッセージを示す画像データを出力し、
前記メッセージを、前記動画像データが前記記録媒体に記録された時からの経過時間に応じて異ならせる、
メッセージ表示方法。
【請求項３】
動画像データに関するシーン情報を記録する記録装置を制御するプログラムであって、
前記シーン情報は、動画像データのシーン毎に時間位置を示すチャプタが付与された情報であり、
前記プログラムは、前記記録装置の制御部に、
記録媒体に記録された特定の動画像データに関するシーン情報を要求するための要求信号を、外部機器に送信する機能と、
前記要求信号に対するシーン情報を前記外部機器から受信できなかった場合に、メッセージを示す画像データを出力する機能と、
前記メッセージを、前記動画像データが前記記録媒体に記録された時からの経過時間に応じて異ならせる機能と、を実行させるための
プログラム。
【発明の詳細な説明】
【技術分野】
【０００１】
本開示は、動画像データの記録装置であって、記録した動画像データに対するシーン情報を外部機器に要求する記録装置に関する。
【背景技術】
【０００２】
特許文献１は放送記録装置を開示する。この放送記録装置は、放送データ内に所定の文字が含まれているか否かを判断する。放送記録装置は、所定の文字が含まれていると判断すると、放送データのチャプタ分割を実行する。この構成により、コンテンツの始まりの位置で自動的に放送データをチャプタ分割できる。
【先行技術文献】
【特許文献】
【０００３】
【特許文献１】特開２０１１−２２３２０５号公報
【発明の概要】
【発明が解決しようとする課題】
【０００４】
自動的にチャプタを付与する場合、自動的に付与したチャプタが必ずしも本来チャプタが付与されるべき位置に付与されるとは限らない。場合によっては、本来チャプタが付与されるべきではない位置にチャプタが付与されてしまうような場合も考えられる。
【０００５】
より正しい位置にチャプタを付与するため、所定の操作者が映像を見ながら、シーン毎に手動でチャプタを付与する方法もある。このような所定の操作者によりシーン毎に手動で付与されたチャプタを含む情報はシーン情報としてサーバ上で提供され、放送記録装置はインターネットを介してサーバから取得することができる。
【０００６】
本開示は、シーン情報を外部機器から受信する装置であって、シーン情報の付与の可能性を使用者に伝達できる記録装置を提供することを目的とする。
【課題を解決するための手段】
【０００７】
本開示の記録装置は、動画像データを記録媒体に記録する記録部と、記録媒体に記録された動画像データに関連して、シーン毎に時間位置を示すチャプタが付与されたシーン情報を要求するための要求信号を外部機器に送信する送信部と、外部機器から、要求信号に対する応答信号を受信する受信部と、受信部が、要求信号に対するシーン情報を外部機器から受信できなかった場合に、メッセージを示す画像データを出力する出力部と、を備える。メッセージを、記録部によって動画像データが記録媒体に記録された時からの経過時間に応じて異ならせる。
【０００８】
本開示のメッセージ表示方法は、動画像データに関するシーン情報を外部機器に要求したときの応答結果に対するメッセージの表示方法である。シーン情報は、動画像データのシーン毎に時間位置を示すチャプタが付与された情報である。メッセージ表示方法は、記録媒体に記録された特定の動画像データに関するシーン情報を要求するための要求信号を、外部機器に送信し、要求信号に対するシーン情報を外部機器から受信できなかった場合に、メッセージを示す画像データを出力し、メッセージを、動画像データが記録媒体に記録された時からの経過時間に応じて異ならせる。
【０００９】
本開示のプログラムは、動画像データに関するシーン情報を記録する記録装置を制御するプログラムである。シーン情報は、動画像データのシーン毎に時間位置を示すチャプタが付与された情報である。プログラムは、記録装置の制御部に以下の機能を実行させる。
記録媒体に記録された特定の動画像データに関するシーン情報を要求するための要求信号を、外部機器に送信する機能、
要求信号に対するシーン情報を前記外部機器から受信できなかった場合に、メッセージを示す画像データを出力する機能、及び
メッセージを、動画像データが前記記録媒体に記録された時からの経過時間に応じて異ならせる機能。
【発明の効果】
【００１０】
本開示によれば、動画像データ（番組データ）に対応する番組が放送されてから所定時間内にシーン情報が生成される場合において、動画像データに対して、シーン情報の付与の可能性を使用者に伝達できる記録装置を提供できる。
【図面の簡単な説明】
【００１１】
【図１】システム全体を示す模式図
【図２】レコーダ及びリモコンの構成を示すブロック図
【図３】自動で付与したチャプタを管理するチャプタ情報を説明するための模式図
【図４】シーン情報を説明するための模式図
【図５】チャプタ付与動作を示すフローチャート
【図６】自動で付与したチャプタに関するチャプタ情報と、サーバから受信したシーン情報に基づくチャプタ情報とが異なる記録媒体に記録されることを説明した図
【図７】シーン情報の取得動作を説明するためのフローチャート
【図８】画面の表示例を説明するための模式図
【図９】画面の表示例を説明するための模式図
【図１０】自動で付与したチャプタに関するチャプタ情報と、サーバから受信したシーン情報に基づくチャプタ情報とが同じ記録媒体に記録されることを説明した図
【図１１】再生動作を説明するためのフローチャート
【発明を実施するための形態】
【００１２】
以下、記録装置の一例としてレコーダを用いた実施の形態１について、図面を参照して説明する。
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者（ら）は、当業者が本開示を十分に理解するために添付図面および以下の説明を提供するのであって、これらによって特許請求の範囲に記載の主題を限定することを意図するものではない。
【００１５】
（実施の形態１）
１−１．概要
本実施の形態におけるレコーダを含む記録システムの全体構成について図１を用いて説明する。この記録システムは、レコーダ１００、テレビ５００及びサーバ７００から構成される。レコーダ１００は、インターネット６００を介してサーバ７００と通信可能である。
【００１６】
サーバ７００は、シーン情報を記憶している。ここで、シーン情報とは、シーン毎の番組の内容（特徴）を示す情報である。シーン情報は、所定の操作者が、番組データが示す番組を実際に視聴し、番組内の内容を判断して、シーン毎に手動で付与することにより、作成される。例えば、００：００に開始する番組について、００：００〜００：１０のシーンはドラマのオープニングであり、００：１０〜００：１１のシーンは、ビールのコマーシャルであり、００：１１〜００：１２のシーンは、スーパーマーケットのコマーシャルであることをそれぞれ示すシーン情報が作成される。シーン情報は、シーンの変化点を示すチャプタを含む。すなわち、シーンの切り替わり点においてチャプタが付与されている。
【００１７】
レコーダ１００は、インターネット６００を介してサーバ７００から、再生対象の番組データに関するシーン情報を取得できる。レコーダ１００は、シーン情報の取得時に、取得したシーン情報からチャプタ情報を生成する。レコーダ１００は、そのチャプタ情報に基づいてスキップ再生を実行できる。ここで、スキップ再生とは、シーン情報に含まれているチャプタ情報によって管理されるチャプタに基づいて再生位置を変更する動作である。
【００１８】
また、レコーダ１００は放送を受信できる。レコーダ１００は、受信した放送に基づいて生成した番組データを内部のハードディスクに記録できる。レコーダ１００は、番組データを記録する際、所定の条件（例えば、コマーシャルの開始／終了）が満たされた場合に、番組データに対して自動的にチャプタを付与する。その際、レコーダ１００は、自動的に付与したチャプタを管理するチャプタ情報を生成する。レコーダ１００は、自動的に付与したチャプタを管理するチャプタ情報に基づいてスキップ再生を実行できる。
【００１９】
前述のように、シーンの変化点であるチャプタには、シーン情報に基づいて生成されたチャプタと、所定の条件に基づき自動的に付与されるチャプタとの２種類がある。このように、一つの番組データに対して複数種類のチャプタが付与され得る可能性がある。この場合、使用者からのスキップ再生の指示を受けた際に、いずれの種類のチャプタが示す位置に再生位置を変更すべきかの判断が困難となる。つまり、シーン情報に基づき生成されるチャプタ（チャプタ情報）に基づくスキップ再生と、所定の条件に基づき自動的に付与されるチャプタ（チャプタ情報）に基づくスキップ再生とを区別して実施できないという問題がある。
【００２０】
本実施形態のレコーダ１００は、このような問題を解決でき、１つの番組データに対して複数種類のチャプタが混在して付与される場合であっても、シーン情報にチャプタに基づき生成されたチャプタに基づいたスキップ再生と、自動付与されたチャプタに基づいたスキップ再生とを区別して実現することを可能とする。
【００２１】
１−２．レコーダ及びリモコンの構成
レコーダ１００及びリモコン２００の構成について図２を用いて説明する。図２は、レコーダ１００及びリモコン２００の構成を示す図である。レコーダ１００は、リモコン２００を介した使用者からの指示に応じて、チューナ１１０により受信した放送データに対して、マイコン１３０により各種処理を施すことによって番組データを生成し、生成した番組データをＨＤＤ１４０に記録する。レコーダ１００は、ＨＤＤ１４０に記憶している番組データを、ＨＤＭＩ１５０を介して外部機器に送信する。以下、各構成要素の詳細について説明する。
【００２２】
レコーダ１００について、チューナ１１０は、アンテナを介して受信した放送データのうち、使用者が選局しているチャンネルの放送データを抽出する。チューナ１１０は、抽出した放送データに基づいてマイコン１３０が処理可能なデジタルデータを生成する。
【００２３】
リモコン受光部１２０は、リモコン２００から送信される、赤外線またはＲＦ波に変調された制御信号を受信する。例えば、リモコン受光部１２０は、電源ＯＮ／ＯＦＦ、選択チャンネル、再生開始／停止、スキップ再生等の制御信号を受信する。リモコン受光部１２０は、受信した制御信号をマイコン１３０が解釈できるデジタル信号に変換する。
【００２４】
マイコン１３０は、レコーダ１００全体を制御する制御モジュールである。マイコン１３０は、ＳＯＣ（Ｓｙｓｔｅｍ Ｏｎ Ｃｈｉｐ）で構成される。従って、マイコン１３０は、ＣＰＵ、メモリ及びデータ信号処理回路を一体として構成される。
【００２５】
ＨＤＤ１４０は、動画像データ等を記憶する記憶装置である。ＨＤＤ１４０は、チューナ１１０を介して受信した番組放送を示す番組データ、及び番組データに自動的に付与したチャプタに関する情報であるチャプタ情報、等を記憶する。
【００２６】
ＨＤＭＩ１５０は、レコーダ１００とテレビ３００等の外部機器とを接続するインターフェースである。レコーダ１００は、ＨＤＭＩ１５０を介してＨＤＤ１４０に記憶されている番組放送が示す番組データ等を外部機器（例えば、テレビ５００）に対して出力する。
【００２７】
有線ＬＡＮモジュール１６０は、有線のＬＡＮケーブルを接続可能なインターフェースである。レコーダ１００は、有線ＬＡＮモジュール１６０により、有線のＬＡＮケーブルを介してインターネットに接続可能である。
【００２８】
フラッシュメモリ１７０は、レコーダ１００全体の制御プログラム、及び、有線ＬＡＮモジュール１６０を介して外部から受信したシーン情報、等を記憶する記録媒体である。フラッシュメモリ１７０は、シーン情報に基づき生成されたチャプタに関するチャプタ情報も記憶する。
【００２９】
リモコン２００は、所定の機能をレコーダ１００に指示するために使用者により押下される釦２１０、２２０、２３０、２４０を有する。釦２１０は、再生中の番組データを順送り方向にスキップさせるための釦である。釦２１０によるスキップは、レコーダ１００により自動的に付与されたチャプタに基づいて実行される。釦２２０は、再生中の番組データを逆送り方向にスキップさせるための釦である。釦２２０によるスキップは、レコーダ１００により自動的に付与されたチャプタに基づいて実行される。釦２３０は、再生中の番組データを順送り方向にスキップさせるための釦である。釦２３０によるスキップは、有線ＬＡＮモジュール１６０を介して外部から取得したシーン情報から生成されたチャプタに基づいて実行される。釦２４０は、再生中の番組データを逆送り方向にスキップさせるための釦である。釦２４０によるスキップは、有線ＬＡＮモジュール１６０を介して外部から取得したシーン情報に基づいて実行される。以上のように、本実施形態では、自動的に付与されたチャプタに基づくスキップと、シーン情報に基づき生成されたチャプタに基づくスキップとは、それぞれ異なる操作釦（２１０及び２２０、並びに２３０及び２４０）により指示される。
【００３０】
１−３．チャプタ情報及びシーン情報
図３は、自動的に付与されるチャプタを管理するチャプタ情報を説明するための図である。図３（ａ）に示すように、番組データ（映像ストリーム）の属性が変化する位置（変化点）に、順次チャプタが付与される。例えば、コンテンツからＣＭ（Commercial Message）へ切り替わった時点や、コンテンツが切り替わった時点、ＣＭからコンテンツへ切り替わった時点等にチャプタが付与される。
【００３１】
図３（ｂ）はチャプタ情報の構成例を説明した図である。同図に示すように、チャプタ情報において、番組データ（映像ストリーム）に対して、チャプタが付与された再生時刻を示す情報が対応付けられている。ここで、チャプタが付与された再生時刻は、各番組データの再生開始位置を基準（０）とした相対的な時間位置を示す情報である。図３（ｂ）に示すストリーム１について、「５分」という情報は、ストリーム１の再生開始から５分後の位置にチャプタが付与されていることを示し、「１０分」という情報は、ストリーム１の再生開始から１０分後の位置にチャプタが付与されていることを示している。
【００３２】
図４はシーン情報を説明するための図である。図４（ｂ）に、レコーダ１００のマイコン１３０が受信するシーン情報の構成例を示す。シーン情報は、番組データ内の各シーンに関する開始時刻、終了時刻及びシーン内容、並びに、各ＣＭの開始時刻、終了時刻及びＣＭ内容を示す情報等から構成される。シーン情報は、所定の操作者が対象の番組データが示す番組を視聴して生成した情報である。従って、番組データのコンテンツ部分とＣＭ部分との境目だけでなく、コンテンツ内のシーンの切り替わり点や、ＣＭの種類の境目等にもチャプタが付与され得る。つまり、図４（ａ）に示すように、シーン情報において、シーンやＣＭが変化する点でチャプタが付与される。シーン情報における各シーン及びＣＭに対する開始時刻及び終了時刻を示す時刻情報は、対象番組データが放送された実際の時刻（絶対的な時刻）を示す情報である。シーン情報がサーバ７００から受信されると、シーン情報に基づいて、チャプタの位置が相対的な時刻位置で示されたチャプタ情報（図４（ｃ）参照）が生成される。
【００３３】
１−４．チャプタの自動付与動作
前述のように、本実施形態において、シーンの変化点であるチャプタには、シーン情報に基づき生成されるチャプタと、所定の条件に基づき自動的に付与されるチャプタとの２種類がある。以下、レコーダ１００における、所定の条件に基づく自動チャプタ付与の動作について図５を用いて説明する。
【００３４】
図５は、自動的なチャプタ付与動作を説明するためのフローチャートである。
【００３５】
図５のフローチャートにおいて、使用者から録画指示等を受けると、レコーダ１００のマイコン１３０は、チューナ１１０を介して受信した放送データに基づいて生成した番組データのＨＤＤ１４０への記録を開始する（Ｓ１００）。番組データの記録を開始すると、マイコン１３０は、記録している番組データ（映像ストリーム）の属性が変化したか否かを判断する（Ｓ１１０）。例えば、マイコン１３０は、番組データの音声がモノラルからステレオに変化したか、ステレオからモノラルに変化したか等を判断する。属性が変化したと判断すると、マイコン１３０は、記録中の番組データに対応する管理データ（チャプタ情報内において、属性が変化した時間位置（変化点）を示す情報をチャプタとしてＨＤＤ１４０へ記録する（Ｓ１２０）。例えば、図３（ａ）に示すように、番組データ（映像ストリーム）の属性が変化する位置（切替点）に順次チャプタが付与される。なお、本実施形態では、管理データはＨＤＤ１４０に記録される。
【００３６】
番組データのＨＤＤ１４０への記録が完了すると、図３（ｂ）に示すような番組データに関連するチャプタ情報が生成される。レコーダ１００は、番組データを再生する際に、ＨＤＤ１４０に記憶しているチャプタ情報を参照することでスキップ再生を実行できる。
【００３７】
以上のように、番組データの記録時に、番組データに対してチャプタが自動的に付与される。図６に示すように、この自動的に付与されるチャプタを管理するチャプタ情報５１は、ＨＤＤ５００に記録される。
【００３８】
１−５．シーン情報の取得動作
次に、レコーダ１００におけるサーバ７００からのシーン情報の取得動作について図７〜９を用いて説明する。図７は、シーン情報の取得動作を説明するためのフローチャートである。図８は、警告画面１の例を説明するための模式図である。図９は、警告画面２の例を説明するための模式図である。
【００３９】
以下で説明する「シーン再生モード」とは、シーン情報を用いて番組データのスキップ再生が可能な再生モードのことをいう。ここで、再生対象の番組データは、ＨＤＤ１４０に予め記憶されている番組データである。
【００４０】
シーン再生モードに設定されているときに（Ｓ２００）、使用者から再生対象の番組データが選択されると、レコーダ１００のマイコン１３０は、選択された番組データがチューナ１１０を介して受信した放送に基づいて生成された番組データであって、かつ未編集の番組データであるか否かを判断する（Ｓ２１０）。このような判断を行うのは、放送された番組でない映像データ（例えば、ユーザ自身がビデオカメラにより撮影した映像データ）については、シーン情報がサーバ７００に記憶されていないからである。また、編集後の番組データに対応するシーン情報はサーバ７００に記憶されていないからである。
【００４１】
ステップＳ２１０において、選択された番組データが放送された番組データではないか、或いは編集済みの番組データであると判断した場合には、マイコン１３０は、図８に示すようなメッセージ（警告画面１）を示す画像データを出力するようＨＤＭＩ１５０を制御する（Ｓ２２０）。この警告画面１に含まれるメッセージは、再生対象として選択された番組データには今後もシーン情報が付与されないことを使用者に伝えるメッセージである。
【００４２】
一方、ステップＳ２１０において、選択された番組データが放送された番組データでかつ、未編集のデータであると判断すると、マイコン１３０は、シーン情報の要求コマンドを、有線ＬＡＮモジュール１６０を介してサーバ７００に送信する（Ｓ２３０）。
【００４３】
シーン情報を要求するコマンドを受信すると、サーバ７００は、サーバ７００内に再生対象の番組データに対応するシーン情報が存在しているか否かを判断する。シーン情報が存在しないと判断すると、サーバ７００は、シーン情報の要求コマンドに対する応答として、エラーデータをレコーダ１００に送信する。ここで、エラーデータは、サーバ７００上に、要求されたシーン情報が存在していないことを示す。
【００４４】
レコーダ１００のマイコン１３０は、エラーデータを受信すると（Ｓ２４０でＹＥＳ）、再生対象の番組データを記録してから所定時間（例えば、２６時間）を経過しているか否かを判断する（Ｓ２５０）。所定時間（例えば、２６時間）を経過していると判断すると、マイコン１３０は、警告画面１を示す画像データを出力するようＨＤＭＩ１５０を制御する（Ｓ２６０）。一方、所定時間（例えば、２６時間）を経過していないと判断すると、マイコン１３０は、図９に示すようなメッセージ（警告画面２）を示す画像データを出力するようＨＤＭＩ１５０を制御する（Ｓ２７０）。この警告画面２に含まれるメッセージは、再生対象として選択された番組データに対して未だシーン情報が付与されていない旨、すなわち、選択された番組データに対して今後シーン情報が付与される可能性がある旨を使用者に伝えるメッセージである。
【００４５】
ここで、ステップＳ２５０において、所定時間（例えば、２６時間）の経過を判断するのは、以下の理由による。シーン情報は、所定の操作者が番組を実際に視聴し、番組内の内容を判断して、シーン毎に手動で作成する。シーン情報の作成には時間を要することから、番組放送後一定時間、シーン情報を準備する時間を確保している。本実施形態では、放送された番組についてシーン情報が作成される場合には、そのシーンの放送時点から所定時間（例えば、２６時間）以内にシーン情報が作成されるようにしている。このような事情を考慮して、ステップＳ２５０では、その番組に対してシーン情報が作成される可能性の有無を判断するため、録画時から所定時間（例えば、２６時間）経過したか否かを判断している。
【００４６】
なお、ステップＳ２５０では、経過時間の基準点を、再生対象の番組データの記録時点としたが、経過時間の基準点はこれに限られない。再生対象の番組データを記録した時点から前後にずれた時間を基準時点として用いても良い。すなわち、シーンの放送時刻と関連づけられる時刻であれば、基準時点として用いることができる。
【００４７】
一方、ステップＳ２４０において、サーバ７００内にシーン情報が存在する場合、サーバ７００はシーン情報をレコーダ１００に送信する（Ｓ２４０でＮＯ）。レコーダ１００のマイコン１３０は、有線ＬＡＮモジュール１６０を介してシーン情報を受信する（Ｓ２８０）。
【００４８】
レコーダ１００のマイコン１３０は、受信したシーン情報の変換処理を実行し、チャプタ情報を生成し、生成したチャプタ情報を、受信したシーン情報とともにフラッシュメモリ１７０に記録する（Ｓ２９０）。具体的には、変換処理においては、チャプタの絶対的な記録時刻を示す情報（図４（ｂ）参照）を、再生開始位置からの相対時間（図４（ｃ）参照）に変換する。
【００４９】
このように、本実施の形態では、図６に示すように、サーバ７００から受信したシーン情報５３と、シーン情報から生成されたチャプタ情報５５とがフラッシュメモリ１７０に記録される。
【００５０】
以上のように、本実施の形態にかかるレコーダ１００は、自動で付与したチャプタに関するチャプタ情報（第１チャプタ情報）と、シーン情報に基づくチャプタ情報（第２チャプタ情報）とを区別して記録する。すなわち、図６に示すように、レコーダ１００は、自動で付与されるチャプタに関するチャプタ情報５１をＨＤＤ１４０に記録する一方、サーバ７００から受信したシーン情報に基づき生成されるチャプタ情報５５をフラッシュメモリ１７０に記録する。これにより、レコーダ１００は、自動で付与したチャプタに関するチャプタ情報（第１チャプタ情報）と、シーン情報に基づくチャプタ情報（第２チャプタ情報）の何れかに基づいてスキップ再生を実行できる。第１チャプタ情報と第２チャプタ情報とが異なる記録媒体に記録されているため、レコーダ１００は、アクセスする記録媒体を変更するだけで、スキップ再生の実行において使用するチャプタの種類を切り替えることができる。
【００５１】
また、本実施の形態にかかるレコーダ１００は、サーバ７００からシーン情報が存在しない旨を示すエラーデータを受信した場合に、番組データを記録した時刻からの経過時間が所定時間（例えば、２６時間）以内か否かによって、出力する警告画面の種類を切り替えている。これにより、レコーダ１００は、今後もシーン情報が付与される可能性がないのか、今後シーン情報が付与される可能性があるのかを使用者に正確に伝えることができる。
【００５２】
なお、本実施の形態においては、自動付与されたチャプタを管理する第１チャプタ情報とシーン情報に基づく第２チャプタ情報とを異なる記録媒体に記録することとしたが、必ずしもこのような構成には限定されない。例えば、図１０に示すように、第１チャプタ情報５１と第２チャプタ情報５５とを同じ記録媒体（例えばＨＤＤ５００）に記録してもよい。この場合には、第１チャプタ情報と第２チャプタ情報とが区別できるように、それぞれのチャプタ情報を管理すればよい。例えば、第１チャプタ情報と第２チャプタ情報とを異なるテーブルで構成してもよい。または、第１チャプタ情報と第２チャプタ情報とを区別できるように、第１チャプタ情報と第２チャプタ情報のそれぞれに識別子を付与し、各識別子と番組データとを対応づけて管理するようにしてもよい。
【００５３】
１−６．スキップ再生動作
レコーダ１００のシーン再生モードにおけるスキップ再生動作について図１１を用いて説明する。図１１は、リモコン２００を用いた、シーン再生モードにおけるスキップ再生動作を説明するためのフローチャートである。
【００５４】
レコーダ１００においてシーン再生モードにおける再生動作が開始されると（Ｓ３００）、マイコン１３０は、リモコン受光部１２０を介して受信した信号に基づき、使用者によりリモコン２００の釦２１０〜２４０の中のいずれの釦が押下されたかを判断する（Ｓ３１０）。
【００５５】
釦２２０が押下されたと判断すると、マイコン１３０は、ＨＤＤ１４０に記憶されている第２チャプタ情報に基づいて、現在の再生位置から戻り方向に一つ目のチャプタの位置を再生位置として、再生を再開する（Ｓ３２０）。
【００５６】
釦２４０が押下されたと判断すると、マイコン１３０は、フラッシュメモリ１７０に記憶されているシーン情報に含まれる第１チャプタ情報に基づいて、現在の再生位置から戻り方向に一つ目のチャプタ（１つ前のシーン）の位置を再生位置として再生を再開する（Ｓ３３０）。
【００５７】
釦２３０が押下されたことを示す信号であると判断すると、マイコン１３０は、フラッシュメモリ１７０に記憶されているシーン情報に含まれる第１チャプタ情報に基づいて、現在の再生位置から順送り方向に一つ目のチャプタ（次のシーン）の位置を再生位置として再生を再開する（Ｓ３４０）。
【００５８】
釦２１０が押下されたことを示す信号であると判断すると、マイコン１３０は、ＨＤＤ１４０に記憶されている第２チャプタ情報に基づいて、現在の再生位置から順送り方向に一つ目のチャプタの位置を再生位置として再生を再開する（Ｓ３５０）。
【００５９】
このように、本実施の形態のレコーダ１００は、リモコン２００の各釦２１０〜２４０にスキップ動作の指示機能が割り当てられている。これにより、リモコン２００は、レコーダ１００に対して、第１チャプタ情報（自動付与されたチャプタ）に基づくスキップ再生と、第２チャプタ情報（シーン情報から生成されたチャプタ）に基づくスキップ再生とを区別して指示することが可能となる。
【００６０】
１−７．効果等
以上のように、本実施の形態において、レコーダ１００は、ＨＤＤ１５０やフラッシュメモリ１７０等の記録媒体と、レコーダ１００の動作を制御するマイコン１３０と、サーバと通信を行う有線ＬＡＮモジュール１６０とを備える。マイコン１３０は、所定の条件に合致する番組データ（動画像データ）中の時間位置を検出し、検出された時間位置に対してチャプタを付与し、当該チャプタを管理する第１チャプタ情報５１を生成する。マイコン１３０は、有線ＬＡＮモジュール１６０を介して、動画像データのシーン毎に、時間位置を示すチャプタが付与されたシーン情報５３を外部機器から受信する。マイコン１３０は、マイコン１３０により生成された第１チャプタ情報、及び、有線ＬＡＮモジュール１６０により受信されたシーン情報に基づき生成された第２チャプタ情報をそれぞれ、記録媒体に記録する。ここで、第１チャプタ情報と第２チャプタ情報とは、互いに区別され得るよう管理されている。具体的には、第１チャプタ情報と第２チャプタ情報とは、それぞれ異なる記録媒体（ＨＤＤ５００、フラッシュメモリ１７０）に記録される。
【００６１】
上記構成により、レコーダ１００において第１チャプタ情報と第２チャプタ情報とが記録された場合であっても、それらを区別して参照することが可能となる。
【００６２】
また、本実施の形態において、レコーダ１００は、番組データをＨＤＤ１４０に記録するマイコン１３０と、サーバ７００と通信するＬＡＮモジュール１６０とを備える。マイコン１３０は、ＨＤＤ１４０に記録された番組データに関連して、シーン毎に時間位置を示すチャプタが付与されたシーン情報を要求するための要求信号を、ＬＡＮモジュール１６０を介して、サーバ７００に送信する。マイコン１３０はＬＡＮモジュール１６０を介して、サーバ７００から、要求信号に対する応答信号を受信する。マイコン１３０は、要求信号に対するシーン情報をサーバ７００から受信できなかった場合に、メッセージを示す画像データを出力する。マイコン１３０は、メッセージを、番組データが記録媒体に記録された時からの経過時間に応じて異ならせる。
【００６３】
番組データに対応する番組が放送されてから所定時間内にシーン情報が生成される場合において、上記構成により、使用者に対して、番組データに対してシーン情報が付与される可能性が有るか否かの情報を伝えることができる。
【００６４】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。そこで、以下、他の実施の形態を例示する。
【００６５】
実施の形態１では、記録装置の一例としてレコーダを説明したが、本開示の思想は、番組データ及びシーン情報を記録する装置であれば、任意の装置に適用することができる。
【００６６】
また、実施の形態１では、レコーダ１００が、サーバ７００から受信したシーン情報から第２チャプタ情報を生成したが、レコーダ１００は、サーバ７００から、シーン情報とともに第２チャプタ情報を受信してもよい。
【００６７】
また、実施の形態１では、有線ＬＡＮを介してインターネットに接続する例を説明したが、無線ＬＡＮを介してインターネットに接続しもよい。または、他の通信インターフェースによってインターネットに接続しても良い。
【００６８】
また、実施の形態１では、チャプタ情報を記録する記録媒体として、ＨＤＤ及びフラッシュメモリを例示したが、記録媒体はこれらに限定されない。例えば、記録媒体として、ＤＶＤ（Digital Versatile Disc）やＢＤ(Blu-ray Disc)のような光ディスク、及び／または半導体メモリ素子を内部に備えたメモリカードを使用してもよい。
また、実施の形態１では、図７のステップＳ２１０において、再生対象の番組データが、放送された番組データであり、かつ、未編集の番組データであるか否かを判断した。しかしながら、必ずしもこのような構成には限定されない。例えば、再生対象の番組データが、放送された番組データであるか否かのみを判断してもよい。この場合には、放送された番組データが編集済みである場合には、シーン情報の送信をサーバに要求することなる。また、再生対象の番組データが、放送された番組データであり、かつ、複数の番組データを結合した番組データであるか否かを判断してもよい。この場合には、放送された番組データが、部分的に削除された番組データである等、複数の番組データを結合する以外の編集が施された番組データである場合には、シーン情報の送信をサーバに要求することとなる。
【００６９】
以上のように、本開示における技術の例示として、上記の実施の形態を説明した。その技術の例示のために、添付図面および詳細な説明を提供した。したがって、添付図面および詳細な説明に記載された構成要素の中には、課題解決のために必須な構成要素だけでなく、課題解決のためには必須でない構成要素も含まれ得る。よって、それらの必須ではない構成要素が添付図面や詳細な説明に記載されていることをもって、直ちに、それらの必須ではない構成要素が必須であるとの認定をするべきではない。
【００７０】
また、上述の実施の形態は、本開示における技術を例示するためのものであるから、特許請求の範囲またはその均等の範囲において種々の変更、置き換え、付加、省略などを行うことができる。
【産業上の利用可能性】
【００７１】
本開示はレコーダや映像記録機能付きのテレビ等の記録装置に適用できる。
【図１】
0005963151.tif 000002
【図２】
0005963151.tif 000003
【図３】
0005963151.tif 000004
【図４】
0005963151.tif 000005
【図５】
0005963151.tif 000006
【図６】
0005963151.tif 000007
【図７】
0005963151.tif 000008
【図８】
0005963151.tif 000009
【図９】
0005963151.tif 000010
【図１０】
0005963151.tif 000011
【図１１】
0005963151.tif 000012